(57)【特許請求の範囲】
【請求項１】
少なくとも画像データと、この画像データの色表示を行うための色情報データとからなる画像信号を表示する画像表示部を備え、使用者の操作にて前記色情報データを他の色情報データに変更して、表示画像の一部あるいは全ての表示色を変更できる携帯電話機において、
使用者で前記画像データの色変更の操作指示が行われると、この変更された色変更情報を記憶する色変更情報記憶部を有し、この色変更情報記憶部は、前記色情報データを含む前記画像信号を記憶する領域とは別に設けられ、
前記画像データに対して前記色変更情報があるかどうか判定し、色変更情報がある場合、前記色変更情報記憶部に記憶された色変更情報を参照することにより、対応する前記色情報データを読み替える処理を行なうことを特徴とする携帯電話機。
【請求項２】
前記画像信号の供給源であるサーバーと通信可能となっており、前記操作にて前記サーバーから前記色変更情報だけを取得することができることを特徴とする請求項１に記載の携帯電話機。
【請求項３】
前記データ供給源であるサーバーと通信可能となっており、前記サーバーからしか前記色変更情報を取得することができないことを特徴とする請求項２に記載の携帯電話機。
【請求項４】
前記画像データのうち特定の表示対象物の色を変更できることを特徴とする請求項１ないし３いずれか１つに記載の携帯電話機。
【発明の詳細な説明】
【０００１】
【発明の属する技術分野】
本発明は、画像信号などの情報を無線で受信して再生、データ変換する携帯電話機に関する。
【０００２】
【従来の技術】
近年、携帯電話に代表される移動体通信端末は、機器のデジタル化・小型化・高機能化および利用料金の低価格化により、急速に普及率が高まっている。
【０００３】
携帯電話は、当初、電話による通話サービスからスタートしたが、その後、データ通信端末としての機能も付加され、現在、電子メール、インターネットへのアクセス機能を有するものも製品化されている。
【０００４】
例えば、インターネットでのアクセスにより、携帯電話のユーザーは、携帯電話の表示部の壁紙を好みに応じてダウンロードして、取得することが可能になっている。
【０００５】
【発明が解決しようとする課題】
しかしながら、上述したような携帯電話の壁紙の画像データでは、表示色（描画色）の変更ができない。
【０００６】
そこで、本発明では、上記問題に鑑みて、携帯電話機において、画像データの表示色を変更させることを目的とする。
【０００７】
【課題を解決するための手段】
上記目的を達成するために、請求項１に記載の発明では、少なくとも画像データと、この画像データの色表示を行うための色情報データとからなる画像信号を表示する画像表示部を備えた携帯電話機において、使用者の操作にて前記色情報データを他の色情報データに変更して、表示画像の一部あるいは全ての表示色を変更できることを特徴としている。
【０００８】
これにより、携帯電話機において、使用者の操作にて使用者の好みの色に画像を変更することができる。
【０００９】
そして、この場合、使用者で色変更の操作指示が行われると、この変更された色変更情報を記憶する記憶手段を有し、他の色情報データを変更するとは、記憶手段で記憶された色変更情報で参照することにより、対応する前記色情報データを読み代える処理を行なうようにする。
【００１０】
また、請求項１記載の発明において、請求項２の発明では、画像信号の供給源であるサーバーと通信可能となっており、操作指示にてサーバーから色変更情報だけを取得することができることを特徴としている。
【００１１】
ここで、画像の色変更を行なう方法として、例えば同じ画像で異なる色表示の画像データをサーバーに記憶させておき、携帯電話機の所有者が一度画像データをダウンロードしたが、色表示が気に入らず、再度、色を変更して、画像データをダウンロードすることが考えられる。
【００１２】
しかしながら、このような再ダウンロードでは、表示色変更毎に画像データをダウンロードする必要があり、ダウンロードデータ数とデータ通信費用が増大するという問題がある。
【００１３】
そこで、請求項２記載の発明では、サーバーから色変更情報だけをダウンロードできるため、ダウンロードデータ数とデータ通信費用を低減できる。なお、ここでいう色変更情報だけとは、画像データが含まれていないことを意味し、通常ファイルやデータの転送に必要なヘッダ情報などは、もちろん色変更情報と一緒にダウンロードされる。
【００１４】
また、請求項２記載の発明において、請求項３記載の発明では、前記サーバーからしか前記色変更情報を取得することができないことを特徴としている。
【００１５】
これにより、携帯電話機内に複雑な色設定機能を設けなくても簡単な操作で、きめ細かな描画の色設定ができる。
【００２０】
【発明の実施の形態】
以下、本発明の実施の形態を図１乃至図６に基づいて説明する。
【００２１】
図１は、本発明の通信システム、および携帯電話機１０の概略構成図である。制御手段としての制御部１８０は、マイクロコンピュータを主体として構成されており、この制御部１８０には、音声処理部１７０、無線通信を行なうための無線部１９０、電話番号入力や携帯電話機の設定入力をするためのキー操作部１１０、文字や画像を表示するための表示部１９０ならびに、画像データや色情報あるいはその他の情報を記憶するための記憶部が接続されている。
【００２２】
また、音声処理部１７０は、マイク１４０およびスピーカー１５０に接続され、マイク１４０から与えられた受信信号を符号化することによって音声データを生成し、その音声データを信号処理部１７０で音声データから通信データに変換し、その通信データを制御部１８０を介して無線部１９０に出力するようになっている。そして無線部１９０は、搬送波を通信データで変調処理することにより、通信データを送信信号としてアンテナ１６０から基地局に送信するようになっている。
【００２３】
また、無線部１９０は、アンテナ１６０に基地局から受信信号として与えられた通信データおよび基地局から送信された着信信号等の制御信号データを復調処理し、その復調処理された通信データおよび制御信号データを制御回路１８０に与えるようになっている。無線部１９０から与えられた通信データは、制御部１８０で音声データに変換して、音声処理部１７０に出力するようになっており、音声処理部１７０は音声データを復号化することによって送話信号を生成し、その送話信号をスピーカ１５０に出力するようになっている。また、画像データ等音声以外のデータに関しては、制御部１８０でデータに変換して、表示部１２０で表示したり、記憶部１３０に記憶するようになっている。
【００２４】
さらに、表示部１２０は、制御部１８０から着信表示信号などの各種表示信号が与えられるようになっており、それらの各種表示信号が与えられたことに応じて、着信メッセージなどの各種表示メッセージを表示するようになっている。
【００２５】
キー操作部１１０は、各種キーのうちのいずれかのキーが操作されたことに応じてキー操作検出信号を制御部１８０に出力し、このとき、制御部１８０は、キー操作部１１０から与えられたキー操作検出信号を解読して識別するようになっており、表示部１２０の明るさや画像表示設定等の調整も行なうことができる。
【００２６】
また、本実施形態での携帯電話機では、無線部１９０にて図示しない基地局を介してインターネット上のサーバー３００に接続可能となっており、このサーバーから表示部１２０で表示される画像データ（壁紙など）をダウンロードし、取得することができる。
【００２７】
次に、画像情報のデータ記憶イメージ図について、図２を参照して説明する。
【００２８】
上述の本発明の携帯電話機にダウンロードする画像情報は、画像のタイトル、分類、種類あるいはファイル形式等が格納された画像ヘッダ情報２１０、画像の色情報が格納されたパレット２２０および表示部１２０に描画するための画像データ２４０から構成されている。
【００２９】
次に、本発明の描画色のデータ書き換え手順を、図４を用いて説明する。説明の前提として、既に図６に示す画像がサーバー３００からダウンロードされており、この画像データのうち特定の表示対象物の色を変更する。例えば、図６中、左側のまめのようなキャラクター６１０ｂを以下、まめ太郎と呼び、このまめ太郎のみの色を変更する。ダウンロード当初では表示色は黄色となっており、図６では黄色は、まめ太郎だけしか使用されていない。つまり、まめ太郎以外は黄色以外の色表示である。
【００３０】
先ず、ステップＳ４１０で画像の表示色を変更するか否かを決定し、変更する場合（Ｓ４１０：ＹＥＳ）は、ステップＳ４２０でＷｅｂサイトにキー操作部１１０でアクセス操作し、そのサイトでの設定手順に従って、色変更設定およびダウンロード設定を行う。例えばまめぞうの色を青、赤、緑どれにしますかといった表示手順説明により、選択し、その選択した色変更データをサーバー３００に要求する。この要求を受けたサーバー３００では、この要求に合わせた色変更データをダウンロード処理を行なう。この処理を携帯電話機側から説明すると、ステップＳ４３０にて、既にダウンロード済みの画像情報２０のパレット２２０とは異なるパレット部分のみのダウンロードデータ３４０をダウンロードするということである。そして、携帯電話機では、ステップＳ４４０でこのダウンロードデータ３４０を携帯電話機１０の記憶部１３０内に格納された色変更情報３１０に書き込み記憶し、描画色の変更設定をする。
【００３１】
次に、本発明の描画色の表示変更手順を、図５を用いて説明する。
【００３２】
各画像ドットデータが、描画色を変更するものであるか否かを判断するために、ステップＳ５１０で画像情報２０内の画像データから１つずつＰＩＸＥＬ２３０を取得し、ステップＳ５２０で前述の描画するＰＩＸＥＬが読み替え位置の色か否かを判定している。今、画像情報２０内の色情報が格納されたパレット２２０が、色情報交換手段３３０であるデータバスを用いて記憶部１３０の色変更情報３１０を参照して画像データの描画を行っているので、各々のＰＩＸＥＬが読み替え位置の色の場合（Ｓ５２０：ＹＥＳ）、すなわち変更したい描画部である場合は、ステップＳ５３０で読み替え用データである色変更情報３１０を参照して表示色の変更を行い、ＰＩＸＥＬが読み替え位置の色でない場合（Ｓ５２０：ＮＯ）は、ステップＳ５４０のようにパレットに従って、すなわち画像の表示色を変更せずに描画している。この一連の動作を繰り返し、ステップＳ５５０で全ての画像ドットデータが確認されたことを判定して、描画を開始する。ステップＳ５６０では、画像データの描画を終了するか否かを判定し、終了しない場合（Ｓ５６０：ＮＯ）は、ある一定時間間隔でステップＳ５１０に戻り、一連の動作を繰り返す。この繰り返し動作により、描画中の色変更にも対応することが可能である。
【００３３】
また、ステップＳ５２０のような変更箇所の判断部を複数設け、複数色の描画色変更を行うことも可能である。例えば、図６において表示部１２０内のイラスト６１０ａ、６１０ｂ、６１０ｃ、６１０ｄは、前述のように変更箇所の判断部を複数設けることにより、各々独立して描画色の変更をすることが可能である。
【００３４】
以上のように本例では、色情報データをメモリ１３０内の色変更情報３１０を参照できるようにして前述の色変更情報３１０を変更することで、画像の一部あるいは全ての描画色を変更することができる。但し、この変更は、表示部の表示設定を変更するものではなく、個々の画像データの色情報を変更するものである。
【００３５】
また、本例では、描画色を変更するために、既にダウンロード済みの画像情報２０のパレット２２０とは異なるパレット部分のみのダウンロードデータ３４０を携帯電話機１０のキー操作部１１０を用いてダウンロードして、携帯電話機１０内の記憶部１３０にある色変更情報３１０に書き換えすることができ、また、画像情報２０内の色情報が格納されたパレット２２０が、色情報交換手段３３０であるデータバスを用いて記憶部１３０の色変更情報３１０を参照して画像データの描画色を決定するようになっている。
【００３６】
従って、色変更時には簡単な操作で、ダウンロードデータ３４０を用いて、記憶部１３０の色変更情報３１０にデータ書き込み変更でき、描画色変更のためのダウンロードデータ数を低減することも可能である。
【００３７】
そして、この場合、色変更の設定は、Ｗｅｂサイトの設定手順にのみ依存し、携帯電話機１０側で特殊な設定機能を実装する必要がなく、設定機能の簡素化することができる。
【００３８】
以上、本発明を実施例により説明したが、本発明は請求の範囲に記載した本発明の主旨に従い種々の変形が可能であり、本発明はこれらを排除するものではない。
【００３９】
上記実施形態では、色変更を行なうには、サーバー３００に接続して、色変更情報を取得し記憶部１３０に書き込んだが、パレット２２０内の色情報データを直接変更することも可能である。
【００４０】
また、サーバー３００から色変更情報を取得するのでなく、携帯電話機単体で、色変更を行なうようにしても良い。この例としては、上記実施形態のように居ろ変更情報を記憶部１２０に書き込んで、表示の際にデータを読み替えて表示するようにしても良いし、直接、画像情報の中の色情報データを書き換えても良い。
【図面の簡単な説明】
【図１】本発明の携帯電話機の概略構成図である。
【図２】画像データの記憶イメージ図である。
【図３】描画色の色情報を変更するための説明図である。
【図４】本発明の描画色データ書き換えのフローチャートである。
【図５】本発明の描画色変更のフローチャートである。
【図６】本発明の描画の一例である。
【符号の説明】
１０・・・携帯電話機
１１０・・・キー操作部、
１２０・・・表示部（表示手段）
１３０・・・メモリ（記憶手段）、
１４０・・・マイク
１５０・・・スピーカ、
１６０・・・アンテナ
１７０・・・音声処理部、
１８０・・・制御部
１９０・・・無線部
２１０・・・画像ヘッダ情報、
２２０・・・色情報格納部（パレット）
２３０・・・Ｐｉｘｅｌデータ、
２４０・・・画像データ
３１０・・・色変更情報、
３２０・・・他情報
３３０・・・色情報交換手段、
３４０・・・ダウンロードデータ
６１０ａ、６１０ｂ，６１０ｃ，６５０ｄ・・・色変換部
【図１】
0003702804.tif 000002
【図２】
0003702804.tif 000003
【図３】
0003702804.tif 000004
【図４】
0003702804.tif 000005
【図５】
0003702804.tif 000006
【図６】
0003702804.tif 000007